(57)【要約】      （修正有）【課題】元から設置されている電力供給システムを維持しつつ、無停電電源システムの効果を達成することができる無停電電源装置を提供する。【解決手段】電源検知装置と、電子駆動モジュールとによって構成する。電源検知装置１０は、交流変圧器１２と、ワイヤレス発射器１４と、電力検知ユニット１３とによって構成し、電子駆動モジュールは、ワイヤレス受信器２１と、駆動モジュール２３と、電力供給装置２２と、充電装置２４とによって構成する。ワイヤレス発射器は電力信号を検知した結果をワイヤレス受信器に送る。なお、ワイヤレス発射器は、一定の発信範囲内で持続的にワイヤレス受信器に電力信号を送り続ける。ワイヤレス受信器が電力信号を受け取れない時、ワイヤレス受信器と接続された駆動モジュールが電力供給装置を駆動させ、電力供給装置が電力を供給し、電子装置を持続的に作動させる。【選択図】図１Ａ
0003162654.tif 000002
【実用新案登録請求の範囲】
【請求項１】
ワイヤレス発射器とワイヤレス受信器とを備えるとともに、電力線に電力信号が存在するか検知しワイヤレス方式で電気信号の送信をおこなう無停電電源装置において、
ワイヤレス発射器は、電源検知装置内に設けられるとともに、電力信号を発し、
ワイヤレス受信器は、電力駆動モジュール内に設けられるとともに、ワイヤレス発射器から発せられた電力信号を受信することを特徴とする、無停電電源装置。
【請求項２】
該電源検知装置内には、室内電力線と接続される交流変圧器が設けられ、交流変圧器は電力検知ユニットに電気的に接続され、電力検知ユニットは、電力信号を検知するとともに、該ワイヤレス発射器に接続されることを特徴とする、請求項１に記載の無停電電源装置。
【請求項３】
該電力駆動モジュールは、ワイヤレス受信器と、駆動モジュールと、電力供給装置と、充電装置とを備え、
ワイヤレス受信器は、該ワイヤレス発射器から発せられた電力信号を受信し、
駆動モジュールは、ワイヤレス受信器と電気的に接続されるとともに、電力供給装置を起動させ、
電力供給装置は電子装置に電力の供給を行い、
充電装置は、電力供給装置と電気回路を形成し、電力供給装置内部の電力を維持させることを特徴とする、請求項１に記載の無停電電源装置。
【請求項４】
該ワイヤレス発射器から発せられる電力信号の及ぶ範囲には、少なくとも一つのワイヤレス受信器が含まれることを特徴とする、請求項１に記載の無停電電源装置。
【請求項５】
ワイヤレス発射器とワイヤレス受信器とを備えるとともに、電力線に電力信号が存在するか検知しワイヤレス方式で電気信号の送信をおこなう無停電電源装置において、
ワイヤレス発射器は、電源検知装置内に設けられるとともに、電力信号を発し、
ワイヤレス受信器は、電力駆動モジュール内に設けられるとともに、ワイヤレス発射器から発せられた電力信号を受信し、
電力駆動モジュールは電子装置内に設けられることを特徴とする、無停電電源装置。
【請求項６】
該電子装置は、照明器具か、或いは無停電電源システムを必要とする電子製品の内のいずれか一つであることを特徴とする、請求項５に記載の無停電電源装置。
【請求項７】
該電子装置は、通電状態を選択するためのスイッチに接続されることを特徴とする、請求項５に記載の無停電電源装置。
【請求項８】
該ワイヤレス発射器から発せられる電力信号の及ぶ範囲は、少なくとも一つの電子装置内のワイヤレス受信器を含むことを特徴とする、請求項５に記載の無停電電源装置。
【請求項９】
該電子装置には少なくとも一つの発光体が設けられることを特徴とする、請求項５または請求項６に記載の無停電電源装置。
【考案の詳細な説明】
【技術分野】
【０００１】
本考案は無停電電源装置に関し、特に、元から設置されている電力供給システムを維持しつつ、無停電電源システムの効果を達成することができる無停電電源装置に関する。
【背景技術】
【０００２】
現在市販されている緊急照明設備のほとんどは、一般的な非常口箇所と各通路の曲がり角箇所に設置されている。この緊急照明設備により、正常な電力が中断したときでも、それまで通り一定の明るさの照明を維持し、正確な避難経路を示すことができる。近年、家庭生活の品質の向上に伴い、建築物の設計は、快適さだけでなく、安全性がより重視されるようになっているが、無停電電源装置は、スイッチによる制御を行うことができず、スイッチ制御による電子装置に対しては無停電電源装置の機能は作動しない。
【０００３】
現在市場で見受けられる緊急照明設備のほとんどは壁掛け式の緊急照明灯であり、このような緊急照明灯の多くは、人の流動量が多く且つ重要な通路や各主要非常口に設置される。このような緊急照明設備の内部には交流・直流電流自動切換装置が設けられ、平時は交流電源から変換された直流電源によりバックアップ用電池に対し自動的に充電を行い、電力量が飽和に達すると自動的に充電を停止し、停電時には自動的にバックアップ用回路に切換え、バックアップ用電源によって電源供給が行われ、緊急照明として利用することができる。
【０００４】
上述の緊急照明設備は、主に、各種場所に独立して設置され、元からある照明設備と異なる回路系統に属する。従って、消費者は緊急照明設備を単独で購入して、すべての避難経路の目立つ場所に設置する必要がある。しかしながら、このような緊急照明設備は壁面または非常口に設置する必要があるため、緊急照明設備の光は壁面から外に向かって発せられ、光の照射範囲が小さいだけでなく、輝度も低い。また、緊急照明設備を多く設置すればするほど、全体の保守費用及び維持費用も相対して増加するという欠点もある。
【考案の概要】
【考案が解決しようとする課題】
【０００５】
そこで、本考案は、元から設置されている電力供給システムを維持しつつ、無停電電源システムの効果を達成することができる無停電電源装置を提供することを目的とする。
【０００６】
また、本考案は、照明や緊急照明などの一般的な電子装置に適用した際、照明器具を共用することができ、証明器具の浪費を少なくし、室内装飾の美しさを損なわせない無停電電源装置を提供することを目的とする。
【課題を解決するための手段】
【０００７】
本考案による無停電電源装置は、電源検知装置と、電子駆動モジュールとによって構成する。電源検知装置は、交流変圧器と、ワイヤレス発射器と、電力検知ユニットとによって構成し、電子駆動モジュールは、ワイヤレス受信器と、駆動モジュールと、電力供給装置と、充電装置とによって構成する。ワイヤレス発射器は電力信号を検知した結果をワイヤレス受信器に送る。なお、ワイヤレス発射器は、一定の発信範囲内で持続的にワイヤレス受信器に電力信号を送り続ける。ワイヤレス受信器が電力信号を受け取れない時、ワイヤレス受信器と接続された駆動モジュールが電力供給装置を駆動させ、電力供給装置が電力を供給し、電子装置を持続的に作動させる。
【図面の簡単な説明】
【０００８】
【図１】本考案の一実施形態の構成を示したブロック図１である。
【図１Ａ】本考案の一実施形態の構成を示したブロック図２である。
【図２】本考案を一般的な室内電力線に適用した際のシステムの流れを示したフローチャートである。
【図３】本考案を一般的な室内電力線に適用した際のシステムの流れを示したフローチャートである。
【図４】本考案の一実施形態を使用した状態を示した説明図である。
【考案を実施するための形態】
【０００９】
図１は本考案の一実施形態の構成を示したブロック図１であり、図１Ａは本考案の一実施形態の構成を示したブロック図２である。本考案による無停電電源装置は、電力線に電力信号が存在するかどうか検知し、ワイヤレス方式で伝送する。本考案による裝置は、電源検知装置１０内に設けられるとともに電力信号を発射するワイヤレス発射器１４と、電力駆動モジュール２０内に設けられるとともにワイヤレス発射器１４からの電力信号を受信するワイヤレス受信器２１と、によって構成する。電源検知装置１０内には、室内電力線１１と連結される交流変圧器１２が設けられ、交流変圧器１２は、電力信号の検知を行うとともにワイヤレス発射器１４に連結される電力検知ユニット１３に電気的に接続され、電力検知ユニット１３と室内電力線１１が連結されることにより、電力が生じているかどうか検知を行うことができる。また、電力駆動モジュール２０は、電子装置３０（照明器具など）上に電気的に接続されて設けられる。電力駆動モジュール２０は、駆動モジュール２３と、充電装置２４を含む。駆動モジュール２３は、ワイヤレス受信器２１と電気的に接続されるとともに、電力供給装置２２を起動させ、それにより、電力供給装置２２は、電子装置３０の駆動モジュール２３へ電力を供給する。充電装置２４は、電力供給装置２２と電気的な回路を形成し、電力供給装置２２内部の電力を維持することができる。
【００１０】
また、電子装置３０は、通電状態を選択するためのスイッチ３１に電気的に接続される。ワイヤレス発射器１４から発せられる電力信号が及ぶ範囲には、少なくとも一つの電子装置３０内のワイヤレス受信器２１が含まれる。
【００１１】
図２と図３は、本考案を一般的な室内電力線に適用した際のシステムの流れを示したフローチャートである。電源検知装置１０内には、室内電力線１１と連結された交流変圧器１２が設けられており、交流変圧器１２が室内電力線１１から送られた電力信号を受信し、室内電力線１１の電流を検知した時、ワイヤレス発射器１４に接続された電力検知ユニット１３は室内電力線１１の電力状態をすぐに検知し、それにより、ワイヤレス発射器１４は、電力信号をワイヤレス受信器２１へと持続的に発射する。このとき、スイッチ３１がオンの時は（電子装置３０と電気的に接続されたスイッチ３１は、使用者によって通電状態が選択される）、電子装置３０は室内電力線１１から提供される電力を受け取って作動し、それと同時に充電装置２４を起動させ、充電装置２４によって電力供給装置２２内部の電力が増えるか維持される。反対に、スイッチ３１がオフの時は、充電装置２４が起動されず、電力供給装置２２に対する充電が行われない。
【００１２】
また、電力検知ユニット１３が交流変圧器１２からの電圧電流を検知することができない場合（即ち、停電状態の場合）、ワイヤレス発射器１４は電力信号の発射を停止する。それにより、ワイヤレス受信器２１は電力信号を受信せず、駆動モジュール２３は電力供給装置２２を起動させ、電力供給装置２２内に保存されている電力を用いて、電子装置３０に対して電力の供給を行い、作動を維持させる。さらに、この停電の間にも、交流変圧器１２は、室内電力線１１に対する検知を続け、もし、交流変圧器１２が室内電力線１１の電力を検知した場合、電源検知装置１０は再度起動し、ワイヤレス発射器１４は電力信号をワイヤレス受信器２１に送り、それにより、電子装置３０は停電前の状態に回復され、電力供給装置２２の作動を停止させる。
【００１３】
図４は、本考案の一実施形態を使用した状態を示した説明図である。本考案による無停電電源装置は、ワイヤレス発射器１４ａに接続されるとともに電力信号を検知する電力検知ユニット１３ａと、少なくとも一つの電力駆動モジュール２０ａを含む。電力駆動モジュール２０ａでは、ワイヤレス受信器２１ａによってワイヤレス発射器１４ａからの電力信号を受信し、駆動モジュールによって電力供給装置が作動される。また、ワイヤレス発射器１４ａから発せられる電力信号の範囲には、少なくとも一つのワイヤレス受信器２１ａが含まれる。その内、電力駆動モジュール２０ａは、電子装置４０ａ内（電子装置４０ａは照明器具か、或いは無停電電源装置が必要な電子製品の内の一つ）に設けられ、電子装置４０ａには、少なくとも一つの発光体４１ａ（例えば、発光ダイオード、冷陰極管や熱陰極管、気体放電ランプ、ハロゲンランプなど）が設けられ、電子装置４０ａは、通電状態を選択するためのスイッチ４２ａに電気的に接続される。以上の構造により、使用者は、元から設置されている室内電力配線を電力供給の基礎とし、さらに、室内電力配線の規格に合う電子装置４０ａを合わせることで、無停電電源供給が行われる緊急照明を実現する。さらには、照明器具の浪費を少なくし、室内装飾の美しさを損なわせないという効果がある。また、上記の利点以外に、使用者は、必要に応じて、電力駆動モジュール２０ａを備える電子装置４０ａの数量を増設することができる。ワイヤレス発射器１４ａから発せられる電力信号の範囲に含まれるすべてのワイヤレス受信器２１ａは、いずれも電力信号を受信できるため、複数の電子装置４０ａの電力がとぎれないように制御し、電力が提供される状態を常に確保することができる。
【００１４】
全ての図を参照する。本考案を使用すると、従来の技術による方法と比べ以下の利点がある。
１、元から設置されている電力供給システムを維持しつつ、無停電電源システムの効果を達成することができる。
２、元から設置されている室内電力配線を維持しつつ、無停電電源システムの効果を達成することができる。
３、複数の電子装置に対してワイヤレス信号の送信を行うことができ、それにより、停電の時に、各電子装置は各電力供給装置の作動をそれぞれ行うことができる。
【符号の説明】
【００１５】
１０  電源検知装置    
１１  室内電力線    
１２  交流変圧器    
１３、１３ａ  電力検知ユニット    
１４、１４ａ  ワイヤレス発射器    
２０、２０ａ  電力駆動モジュール    
２１、２１ａ  ワイヤレス受信器    
２２  電力供給装置    
２３  駆動モジュール    
２４  充電装置    
３０  電子装置    
３１  スイッチ    
４０ａ  電子装置    
４１ａ  発光体    
４２ａ  スイッチ  
【図１】
0003162654.tif 000003
【図１Ａ】
0003162654.tif 000004
【図２】
0003162654.tif 000005
【図３】
0003162654.tif 000006
【図４】
0003162654.tif 000007